(57)【要約】      （修正有）【課題】観覧者に視覚的な錯覚を起こさせることができ、構造が簡単であり操作方法も簡単で覚えやすい手品用具を提供する。【解決手段】手品用具Ａは、両端に端口１４、１５を有するケース１と、ケース１に端口１４、１５側からそれぞれ収容されてスライド自在であり、表裏両面側に内表示部２４、２５、３４、３５を有し、端部に蓋部材２１、３１を有する内表示体２、３と、内表示体２、３の表裏両面側に、ケース１内面及び内表示体２、３に対しスライド自在に配され、内表示体２、３の各蓋部材２１、３１間に収まって内表示部を覆い、両端口１４、１５から出る方向側の外側の面に外表示部４１、４２、５１、５２を有する外表示体４、５とを備えている。【選択図】図１
0003184722.tif 000002
【実用新案登録請求の範囲】
【請求項１】
開口部を有し、該開口部の形状と略同じ断面形状の内部空間を有するケースと、
該ケース内にスライド自在に収容され、前記内部空間と略同じサイズであり、その端部の表面に内表示部を有する内表示体と、
前記ケース内に、前記内表示体と重なった状態でスライド自在に、かつ、前記内表示体と相互にスライド自在に収容され、前記内表示体と重なった状態では前記内表示部の上に配置され、その端部の表面に外表示部を有する外表示体とを備える
手品用具。
【請求項２】
その長手方向両端に開口部を有し、該各開口部の形状と略同じ断面形状の内部空間を有するケースと、
該ケース内に、前記各開口部の何れか一方の開口部からスライド自在に収容され、同開口部から出る方向側の端部に同開口部に挿入できる蓋部材を有し、同開口部から出る方向側の端部又は端部近傍の表裏側表面に内表示部を有する第１の内表示体と、
前記ケース内に、前記第１の内表示体を収容する開口部と反対側の開口部からスライド自在に収容され、前記開口部から出る方向側の端部に同開口部に挿入できる蓋部材を有し、同開口部から出る方向側の端部又は端部近傍の表裏側表面に内表示部を有し、同ケース内で前記第１の内表示体と合わせたサイズが、前記内部空間と略同じサイズである第２の内表示体と、
前記第１の内表示体及び前記第２の内表示体の前記各蓋部材の間に収まり、前記ケース内に前記第１の内表示体及び前記第２の内表示体の表側の面と重なった状態でスライド自在に収容され、前記第１の内表示体及び前記第２の内表示体と相互にスライド自在であり、前記ケース内に前記第１の内表示体及び前記第２の内表示体と共に全体が収まったときに、前記第１の内表示体の表側の面の内表示部及び前記第２の内表示体の表側の面の内表示部を覆うように被さり、長手方向側の両端部又は両端部近傍の外表面に外表示部を有する第１の外表示体と、
前記第１の内表示体及び前記第２の内表示体の前記各蓋部材の間に収まり、前記ケース内に前記第１の内表示体及び前記第２の内表示体の裏側の面と重なった状態でスライド自在に収容され、前記第１の内表示体及び前記第２の内表示体と相互にスライド自在であり、前記ケース内に前記第１の内表示体及び前記第２の内表示体と共に全体が収まったときに、前記第１の内表示体の裏側の面の内表示部及び前記第２の内表示体の裏側の面の内表示部を覆うように被さり、長手方向側の両端部又は両端部近傍の外表面に外表示部を有する第２の外表示体とを備える
手品用具。
【請求項３】
前記ケースが、扁平な四角筒状である
請求項１又は２の手品用具。
【請求項４】
前記内表示部又は前記外表示部に、模様を表した図柄が表示してある
請求項１又は２の手品用具。
【請求項５】
前記内表示部又は前記外表示部に、紙幣の表面側又は裏面側のデザインを誇張して表した図柄が表示してある
請求項１又は２の手品用具。
【請求項６】
前記内表示部又は前記外表示部に、トランプの表面側のデザインを表した図柄が表示してある
請求項１又は２の手品用具。
【請求項７】
前記内表示部又は前記外表示部に、国旗のデザインを表した図柄が表示してある
請求項１又は２の手品用具。
【考案の詳細な説明】
【技術分野】
【０００１】
本考案は、手品用具に関するものである。更に詳しくは、観覧者から見て手品用具の同じ箇所又は同じ箇所に見える部分に、所要数の異なる絵模様等の図柄が、演技者の操作に伴って、あたかも順次変化しながら表れているように観覧者に視覚的な錯覚を起こさせることができ、構造が簡単であり操作方法も簡単で覚えやすい手品用具に関する。
【背景技術】
【０００２】
専門家でなく、一般の人が手品や奇術をすることができる手品用具は、従来より様々提案されている。このような手品用具の中には、視覚的な錯覚を利用する等して、絵模様等の図柄が演技者の操作によって意外な変わり方をしたり、意外な動きをしたりするもの（例えば、特許文献１）が多くあり、これらは観覧者が見ていて分かりやすいため人気がある。
【先行技術文献】
【特許文献】
【０００３】
【特許文献１】特開２０１０−６９１０４号公報
【考案の概要】
【考案が解決しようとする課題】
【０００４】
しかしながら、従来の手品用具には、次のような課題があった。
すなわち、手品用具の構造が複雑であり、操作方法も煩雑で覚えにくかった。このため、特に演技者が趣味で手品を楽しんでいるような一般の人である場合、操作を誤って失敗してしまうことが多々あった。
【０００５】
本考案は、以上の点に鑑みて創案されたものであり、観覧者から見て手品用具の同じ箇所又は同じ箇所に見える部分に、所要数の異なる絵模様等の図柄が、演技者の操作に伴って、あたかも順次変化しながら表れているように観覧者に視覚的な錯覚を起こさせることができ、しかも構造が簡単であり操作方法も簡単で覚えやすい手品用具を提供することを目的とする。
【課題を解決するための手段】
【０００６】
上記課題を解決するために本考案が講じた手段は次のとおりである。
本発明は、開口部を有し、該開口部の形状と略同じ断面形状の内部空間を有するケースと、該ケース内にスライド自在に収容され、前記内部空間と略同じサイズであり、その端部の表面に内表示部を有する内表示体と、前記ケース内に、前記内表示体と重なった状態でスライド自在に、かつ、前記内表示体と相互にスライド自在に収容され、前記内表示体と重なった状態では前記内表示部の上に配置され、その端部の表面に外表示部を有する外表示体とを備える手品用具である。
【０００７】
この場合、内表示体と外表示体をケース内に収めた後で、内表示体を外表示体を伴わずにスライドさせて開口部からケース外へ出して露出させることにより、外部から内表示部が見えるようにすることができる。
また、内表示体と外表示体をケース内に収めた後で、内表示体と外表示体を一体的に開口部側へスライドさせることにより、外表示体で内表示体の内表示部を覆い隠した状態で、外表示体の端部側を開口部からケース外へ出して露出させることができ、外部から外表示部が見えるようにすることができる。
【０００８】
このように、内表示体の内表示部のみ、又は外表示体の外表示部のみを開口部からケース外へ露出させる操作を適宜切り替えて行い、観覧者から見て手品用具の同じ箇所又は同じ箇所に見える部分に、内表示部と外表示部が入れ替わるように位置させることで、内表示部と外表示部に表示された模様等の図柄が、あたかも順次変化しながら表れているように観覧者に視覚的な錯覚を起こさせることができる。また、手品用具は、構造が簡単であり、操作方法も簡単で覚えやすい。
【０００９】
本発明は、その長手方向両端に開口部を有し、該各開口部の形状と略同じ断面形状の内部空間を有するケースと、該ケース内に、前記各開口部の何れか一方の開口部からスライド自在に収容され、同開口部から出る方向側の端部に同開口部に挿入できる蓋部材を有し、同開口部から出る方向側の端部又は端部近傍の表裏側表面に内表示部を有する第１の内表示体と、前記ケース内に、前記第１の内表示体を収容する開口部と反対側の開口部からスライド自在に収容され、前記開口部から出る方向側の端部に同開口部に挿入できる蓋部材を有し、同開口部から出る方向側の端部又は端部近傍の表裏側表面に内表示部を有し、同ケース内で前記第１の内表示体と合わせたサイズが、前記内部空間と略同じサイズである第２の内表示体と、前記第１の内表示体及び前記第２の内表示体の前記各蓋部材の間に収まり、前記ケース内に前記第１の内表示体及び前記第２の内表示体の表側の面と重なった状態でスライド自在に収容され、前記第１の内表示体及び前記第２の内表示体と相互にスライド自在であり、前記ケース内に前記第１の内表示体及び前記第２の内表示体と共に全体が収まったときに、前記第１の内表示体の表側の面の内表示部及び前記第２の内表示体の表側の面の内表示部を覆うように被さり、長手方向側の両端部又は両端部近傍の外表面に外表示部を有する第１の外表示体と、前記第１の内表示体及び前記第２の内表示体の前記各蓋部材の間に収まり、前記ケース内に前記第１の内表示体及び前記第２の内表示体の裏側の面と重なった状態でスライド自在に収容され、前記第１の内表示体及び前記第２の内表示体と相互にスライド自在であり、前記ケース内に前記第１の内表示体及び前記第２の内表示体と共に全体が収まったときに、前記第１の内表示体の裏側の面の内表示部及び前記第２の内表示体の裏側の面の内表示部を覆うように被さり、長手方向側の両端部又は両端部近傍の外表面に外表示部を有する第２の外表示体とを備える手品用具である。
【００１０】
この場合、第１、第２の内表示体及び第１、第２の外表示体をケース内に収めた後で、第１、第２の内表示体のうちの何れか一方の内表示体を、第１、第２の外表示体を伴わずに、何れか一方の開口部側へスライドさせてケース外へ出して露出させることにより、外部から各内表示部が見えるようにすることができる。
【００１１】
また、第１、第２の内表示体及び第１、第２の外表示体をケース内に収めた後で、第１、第２の内表示体及び第１、第２の外表示体を一体的にケースの何れか一方の開口部側へスライドさせることにより、第１、第２の外表示体で第１の内表示体の内表示部又は第２の内表示体の内表示部を覆い隠した状態で、第１、第２の外表示体の端部側をケース外へ出して露出させることができ、外部から各外表示部が見えるようにすることができる。
【００１２】
このように、内表示体の内表示部のみ、又は外表示体の外表示部のみを開口部からケース外へ露出させる操作を適宜切り替えて行い、観覧者から見て手品用具の同じ箇所又は同じ箇所に見える部分に、内表示部と外表示部が入れ替わるように位置させることで、各内表示部と各外表示部に表示された模様等の図柄が、あたかも順次変化しながら表れているように観覧者に視覚的な錯覚を起こさせることができる。
【００１３】
また、本考案では、内表示体の内表示部が表裏両側にあり、内表示体を開口部からケース外へ出す前の時点で、観覧者が見る方向に対向する側を表裏逆に持ち替えて、同様の操作を行うことによって、前の操作時と異なる模様等の図柄の内表示部を観覧者に見えるように、ケース外に露出させることができる。
【００１４】
更に、本考案では、開口部がケースの両端側にあり、それぞれの開口部側から各内表示部と各外表示部をケース外へ露出させることができるので、手品用具を上下逆に持ち替えて、同様の操作を行うことによって、更に別の内表示体の二箇所にある内表示部、又は別の外表示体の二箇所にある外表示部を開口部からケース外に出して露出させ、観覧者に見えるようにすることができる。また、手品用具は、構造が簡単であり、操作方法も簡単で覚えやすい。
【００１５】
本考案においては、前記ケースを、扁平な四角筒状とすることができる。
【００１６】
この場合、ケースを構成する広い側の相対向する二枚の板を観覧者が見える方向へ向ける側とすれば、内表示体の内表示部と、外表示体の外表示部を、比較的広くつくることができ、観覧者は各表示部が見やすくなる。
【００１７】
本考案においては、前記内表示部又は前記外表示部に、模様を表した図柄を表示することができる。
【００１８】
この場合、様々な絵模様を表した図柄を表示することができるので、例えば演技者が口上を述べながら手品用具の操作をする場合、これらの模様を題材（又は、ねた）とした口上を創作して演技ができる。
【００１９】
本考案においては、前記内表示部又は前記外表示部に、紙幣の表面側又は裏面側のデザインを誇張して表した図柄を表示することができる。
【００２０】
この場合、例えば演技者が口上を述べながら手品用具の操作をする場合、各種紙幣やお金を題材とした口上を創作して演技ができる。
【００２１】
本考案においては、前記内表示部又は前記外表示部に、トランプの表面側のデザインを表した図柄を表示することができる。
【００２２】
この場合は、例えば演技者が口上を述べながら手品用具の操作をする場合、トランプ又はトランプの各種デザインを題材とした口上を創作して演技ができる。
【００２３】
本考案においては、前記内表示部又は前記外表示部に、国旗のデザインを表した図柄を表示することができる。
【００２４】
この場合は、例えば演技者が口上を述べながら手品用具の操作をする場合、表示する国旗の国を題材とした口上を創作して演技ができる。
【００２５】
本明細書及び実用新案登録請求の範囲にいう「模様」の用語は、装飾のために施す種々のかたちの他、単色で様々な色の地、文字又は数字も含む意味で使用している。
ケースの形状としては、扁平な四角筒状の他、例えば同じく扁平な六角筒状や八角筒状等の各種多角筒状又は円筒状、楕円筒状等が挙げられるが、これらに限定されるものではない。なお、ケース内に収まる各内表示体及び各外表示体は、ケースの形状に対応して、機能的に支障がないようにして収まるように、様々な形をとるのはいうまでもない。
【考案の効果】
【００２６】
本考案は、観覧者から見て手品用具の同じ箇所又は同じ箇所に見える部分に、所要数の異なる絵模様等の図柄が、演技者の操作に伴って、あたかも順次変化しながら表れているように観覧者に視覚的な錯覚を起こさせることができ、構造が簡単であり操作方法も簡単で覚えやすい手品用具を提供することができる。
【図面の簡単な説明】
【００２７】
【図１】本考案に係る手品用具の一実施の形態を示す分解斜視図である。
【図２】図１の手品用具を組んだ状態の縦断面図である。
【図３】手品用具の第１の操作方法を示す説明図である。
【図４】手品用具の第２の操作方法を示す説明図である。
【考案を実施するための形態】
【００２８】
本考案を図面に示した実施の形態に基づき詳細に説明する。
図１及び図２を参照する。
【００２９】
手品用具Ａは、ケース１と、ケース１内部にスライド自在に収容される第１の内表示体である内表示体２、第２の内表示体である内表示体３、及び第１の外表示体である外表示体４及び第２の外表示体である外表示体５で構成されている。
手品用具Ａは、本実施の形態では、ケース１及び内表示体２、３は木製で、外表示体４、５が発泡プラスチック製であるが、例えば各部品をプラスチック製とする等、採用する素材については特に限定するものではない。
【００３０】
ケース１は、扁平な四角筒状であり、長方形状で相対向して平行に配された広い側の構成板１０、１１を有し、構成板１０、１１の両側を長方形状で相対向して平行に配された狭い側の構成板１２、１３で接続した構造である。ケース１は、ケース１の長手方向の両端に、長方形の開口部である端口１４、１５を有し、内部に内部空間１６を有している。
【００３１】
内表示体２と内表示体３は、後で説明する内表示部２４、２５と内表示部３４、３５の模様が違っている点を除けば、同様の構造を有しているので、まず内表示体２の構造を詳細に説明し、内表示体３については、主に内表示体２と符号が異なるところを簡単に説明するに止める。
【００３２】
内表示体２は、ほぼ正方形状の中間板２０を有し、その一端（内表示体２をケース１に収容した時に外方向側となる端）には、蓋部材である長方形状の蓋板２１が、断面形状で中間板２０と共にＴ字をなすように固着されている。また、中間板２０の両側には、長方形状の側板２２、２３が、それぞれ断面形状で中間板２０と共にＴ字をなすように、且つ蓋板２１とつながるように固着されている。なお、側板２２、２３の端は、中間板２０の他端（内表示体２をケース１に収容した時に内方向側となる端）と揃えてある。
【００３３】
内表示体２の蓋板２１は、ケース１の端口１４、１５の内側に丁度収まるように、且つ端口１４、１５に出入り自在な大きさに形成されている（図２参照）。なお、蓋板２１の形状（又は大きさ）については、少なくとも、後で説明する外表示体４、５が抜け落ちることを防止できればよく、必ずしも端口１４、１５の内側に丁度収まる必要はない。また、側板２２、２３も同様に、端口１４、１５から出入り自在にケース１内に収まる大きさである。
【００３４】
また、中間板２０は、蓋板２１側の端部の表裏面側に、長方形状の内表示部２４、２５を有している。内表示部２４、２５は、互いに同じ長方形状で同じ大きさ（本実施の形態では中間板２０の大きさの４０％程度）に形成されている。内表示部２４、２５は、中間板２０表面に形成した凹部（符号省略）に収めて接着することで、それぞれの表面が中間板２０の表裏面と面一になるようにしてある。
【００３５】
内表示部２４には、壱万円紙幣の表面デザインを模しやや誇張してデザインされた図柄が表示されており、内表示部２５には、千円紙幣の表面デザインを模しやや誇張してデザインされた図柄が表示されている。
【００３６】
内表示体３は、中間板３０を有し、中間板３０の一端には、蓋板３１が固着されている。また、中間板３０の両側には、側板３２、３３が、蓋板３１とつながるように固着されている。側板３２、３３の端は、中間板３０の他端と揃えてある。
【００３７】
中間板３０は、蓋板３１側の端部の表裏面側に、内表示部３４、３５を有している。内表示部３４、３５は、互いに同じ長方形状で同じ大きさに形成されている。また、内表示部３４、３５は、中間板３０に形成した凹部（符号省略）に収めて接着することで、それぞれの表面が中間板３０の表裏面と面一になるようにしてある。内表示部３４には、金色の単色地模様が表示されており、内表示部３５には、銀色の単色地模様が表示されている。
【００３８】
なお、内表示体２、３をケース１内に収容して合わせた状態での外側のサイズは、ケース１の内部空間１６のサイズとほぼ同じである。つまり、内表示体２、３のそれぞれの中間板２０、３０の長さ（内表示体２、３がケース１に出入りする方向の長さ）は、図２に示すように、内表示体２、３が、ケース１内に蓋板２１、３１の外面がケース１の長手方向の両端面と面一となるよう収まったときに、中間板２０、３０のケース１内部側の端部が突き合わせた状態となるように設定されている。
【００３９】
外表示体４、５は、後で説明する外表示部４１、４２と外表示部５１、５２の模様が違っている点を除けば、同様の構造を有しているので、まず外表示体４の構造を詳細に説明し、外表示体５については、主に外表示体４と符号が異なるところを簡単に説明するに止める。
【００４０】
外表示体４は、発泡プラスチック製で長方形の板状の基板４０を有している。基板４０は、長手方向の両端側、且つ厚み方向の片側の面（図１では上面）に、長方形状の外表示部４１、４２を有している。外表示部４１、４２は、互いに同じ長方形状で同じ大きさ（本実施の形態では、それぞれが基板４０の大きさの２０％程度）に形成されている。
【００４１】
外表示部４１、４２は、基板４０表面に形成した凹部（符号省略）に収めて接着することで、それぞれの表面が基板４０の表面と面一になるようにしてある。
外表示部４１には、トランプの表面側のデザインを表す図柄（例えばハートのエース）が表されている。また、外表示部４２には、日本国国旗のデザインを表す図柄が表されている。
【００４２】
外表示体５は、基板５０を有し、長手方向の両端側、且つ厚み方向の片側の面（図１では下面）に、外表示部５１、５２を有している。外表示部５１、５２は、互いに同じ長方形状で同じ大きさに形成されている。
【００４３】
外表示部５１、５２は、基板５０表面に形成した凹部（符号省略）に収めて接着することで、それぞれの表面が基板５０の表面と面一になるようにしてある。
外表示部５１には、トランプの表面側のデザインを表し、且つ外表示部４１の図柄とは異なる図柄（例えばスペードのクイーン）が表されている。また、外表示部５２には、アメリカ合衆国国旗のデザインを表す図柄が表されている。
【００４４】
なお、外表示体４及び外表示体５の大きさは、図２に示すように、内表示体２、３をケース１内に丁度収めたときに、中間板２０、３０の表側又は裏側の表面、蓋板２１、３１及び側板２２、２３、３２、３３の内面と、ケース１内面との間で形成される空間（符号省略）に丁度収まる大きさである。また、外表示体４及び外表示体５は、内表示体２、３の、外表示体４及び外表示体５に対する接触側の面、及びケース１の外表示体４及び外表示体５に対する接触側の面に対して、スライド自在である。
【００４５】
（作用）
図１ないし図４を参照して、本考案に係る手品用具Ａの作用を説明する。
手品用具Ａは、ケース１、第１の内表示体２、第２の内表示体３及び第１の外表示体４及び第２の外表示体５の計五点の部品で構成されており、その組合せ構造も簡単である。
【００４６】
手品用具Ａは、各内表示体２、３と各外表示体４、５をケース１内に収めた後で、各内表示体２、３のうちの何れか一方の内表示体２又は内表示体３だけを各外表示体４、５を伴わずに端口１４又は端口１５からケース１外へ引き出すことにより、外部から内表示体２の内表示部２４、２５又は内表示体３の内表示部３４、３５が見えるようにすることができる。
【００４７】
また、各内表示体２、３と各外表示体４、５をケース１内に収めた後で、各内表示体２、３及び各外表示体４、５を一体的にケース１の何れか一方の端口１４又は端口１５側へスライドさせることで、各外表示体４、５で各内表示体２、３の内表示部２４、２５又は内表示部３４、３５を覆い隠した状態で、各外表示体４、５の一端側をケース１外へ露出させることができ、外部から外表示部４１、５１又は外表示部４２、５２が見えるようにすることができる。
【００４８】
このように、内表示体２、３の内表示部２４、２５、３４、３５と、外表示体４、５の外表示部４１、４２、５１、５２を選択的にケース１外へ露出させることにより、観覧者から見て手品用具Ａの同じ箇所又は同じ箇所に見える部分に、内表示部２４、２５、３４、３５と外表示部４１、５１、４２、５２を入れ替わるように位置させることで、所要数の異なる絵模様等の図柄が、あたかも順次変化しながら表れているように観覧者に視覚的な錯覚を起こさせることができる。
【００４９】
また、手品用具Ａのケース１は扁平な四角筒状であるので、ケース１を構成する広い側の相対向する二枚の構成板１０又は構成板１１を観覧者が見える方向へ向ける側とすれば、内表示体２、３の内表示部２４、２５及び内表示部３４、３５と、外表示体４、５の外表示部４１、４２及び外表示部５１、５２を、比較的広くつくることができ、観覧者は各表示部が見やすくなる。
【００５０】
更に、手品用具Ａにおいては、内表示体２、３の内表示部２４、２５及び内表示部３４、３５と、外表示体４、５の外表示部４１、４２及び外表示部５１、５２に表されている模様は、八種類のそれぞれ相互に異なる模様であるので、例えば演技者が各模様を題材とした口上を述べながら操作をする場合、口上の種類を手品用具Ａにおいて最大に増やすことができる。
【００５１】
次に、手品用具Ａの操作方法について説明する。
演技者（操作者）は、操作に伴い各表示部２３、２４、３３、３４、４１、４２、５１、５２がケース１外に出たときに、各表示部が観覧者から見えるように手品用具Ａを持って演技を行うようにする。図３では、ケース１の、観覧者が見る方向（矢印方向）に対向する側の構成板１１を観覧者に向けている。
【００５２】
（操作方法１）
手品用具Ａのケース１の端口１４又は端口１５側が下になる場合は、演技者はケース１内の各内表示体２、３と各外表示体４、５が端口１４又は端口１５から下に抜け落ちないように手のひらや指で支えるようにする。なお、手品用具Ａは、演技者が演技中に内表示体２、３や外表示体４、５が端口１４又は端口１５から抜け落ちないようにすることができれば、縦にして持つようにしてもよいし、横や斜めにして持つようにしてもよい。
【００５３】
そして、例えば図３に示すように、ケース１の一方の端口１５側が下になる状態、つまり演技者が手品用具Ａを縦にして、一方の手の指で内表示体３を支えた状態で、他方の手の指で、上側に位置している内表示体２の蓋部材２１を摘んで上方へ持ち上げると、その内表示体２は他の部材である内表示体３及び外表示体４、５を動かすような干渉をすることなく、つまり外表示体４、５を伴うことなく単独で上昇する。
【００５４】
これによって、内表示体２の表裏両面側の内表示部２４、２５を端口１４からケース１外に露出させることができ、観覧者の見る方向（図３の矢印方向）と対向する側の内表示部２５の模様、つまり千円紙幣の表面デザインを模しやや誇張してデザインされた図柄を見ることができる。
【００５５】
なお、内表示体２を摘み上げるとき、他の部材を動かすような干渉をさせない観点からは、内表示体２の両側の外表示体４、５に作用する、ケース１の下方向への重力を利用できるように、このように手品用具Ａを縦にして演技を行うのが好ましい。また、内表示体２の蓋部材２１を摘む際に、摘みやすいように、指で下側の内表示体３の蓋部材３１を少し押し上げるようにしてもよい。
【００５６】
内表示体２の内表示部２４、２５は、内表示体２の中間板２０の表裏両面側に表れており、内表示体２を摘み上げる前の時点で、観覧者が見る方向（図３の矢印方向）に対向する側を表裏逆に持ち替えて、つまりケース１の構成板１０を観覧者側へ向けて、同様の操作を行うことによって、前の操作時と異なる内表示部２４の壱万円紙幣の表面デザインを模しやや誇張してデザインされた図柄が観覧者に見えるように、ケース１外に露出させることができる。
【００５７】
加えて、演技者が、手品用具Ａを上下逆に持ち替えて、同様の操作を行うことによって、更に別の内表示体３の二箇所の内表示部３４、３５をケース１外に露出させ、内表示部３４では金色の単色地模様が観覧者に見えるように、内表示部３５では銀色の単色地模様が観覧者に見えるようにすることができる。
【００５８】
（操作方法２）
演技者が手品用具Ａを縦に持ち、ケース１の一方の端口１４又は端口１５が下になる場合は、操作方法１と同様に、演技者はケース１内の各内表示体２、３と各外表示体４、５が下に抜け落ちないように手のひらや指で支えるようにする。図４では、ケース１の、観覧者が見る方向（矢印方向）に対向する側の構成板１１を観覧者に向けている。
【００５９】
そして、例えば図４に示すように、手品用具Ａを縦にした状態で、演技者がケース１内の各内表示体３を支えている側の指、又は他方の側の手の指で、下側の内表示体３の蓋部材３１を上方へ押し上げると、各内表示体２、３と各外表示体４、５がケース１内壁にガイドされて、端口１４方向へ一体となって上昇する。
【００６０】
これによって、各外表示体４、５の外面側の外表示部４１、５１を端口１４からケース１外に露出させることができ、観覧者の見る方向（図４の矢印方向）と対向する側の外表示部５１の図柄、つまりトランプの表面側のデザインを表した図柄（例えばスペードのクイーン）を観覧者に見せることができる。
【００６１】
外表示体４、５の外表示部４１、５１は、各外表示体４、５の外面側に表れており、各内表示体２、３と各外表示体４、５を一体として上方へ押し上げる前の時点で、観覧者が見る方向（図４の矢印方向）に対向する側を表裏逆に持ち替えて、つまりケース１の構成板１０を観覧者側へ向けて、同様の操作を行うことによって、前の操作時と異なる外表示部４１のトランプの表面側のデザインの図柄（ハートのエース）を観覧者に見せることができる。
【００６２】
加えて、演技者が、手品用具Ａを上下逆に持ち替えて、同様の操作を行うことによって、更に別の二箇所の外表示部４２、５２をケース１外に露出させ、外表示部４２では日本国国旗のデザインの図柄を観覧者に見えるように、外表示部５２ではアメリカ合衆国国旗のデザインの図柄が観覧者に見えるようにすることができる。このように、手品用具Ａは操作が簡単であり操作手順も覚えやすい。
【００６３】
なお、演技者は、手品用具Ａを使用して演技するにあたり、まず、内表示部２４の壱万円紙幣の図柄、内表示部２５の千円紙幣の図柄、内表示部３４の金色の単色地模様、内表示部３５の銀色の単色地模様、外表示部４１のトランプの図柄（ハートのエース）、外表示部４２の日本国国旗の図柄、外表示部５１のトランプの図柄（スペードのクイーン）、外表示部５２のアメリカ合衆国国旗の図柄のそれぞれを題材とした演技用の口上を予め創作して用意しておき、その口上に合わせて、各表示部を観覧者に見せるようにする。
【００６４】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形態様が可能であるということは言うまでもない。
【符号の説明】
【００６５】
Ａ  手品用具
１  ケース
１０、１１  構成板
１２、１３  構成板
１４、１５  端口
１６  内部空間
２  内表示体
２０  中間板
２１  蓋板
２２、２３  側板
２４  内表示部
２５  内表示部
３  内表示体
３０  中間板
３１  蓋板
３２、３３  側板
３４  内表示部
３５  内表示部
４  外表示体
４０  基板
４１  外表示部
４２  外表示部
５  外表示体
５０  基板
５１  外表示部
５２  外表示部
【図１】
0003184722.tif 000003
【図２】
0003184722.tif 000004
【図３】
0003184722.tif 000005
【図４】
0003184722.tif 000006